(57)【要約】  本開示の一実施の形態に係る生体情報計測装置は、ＡＤ変換部に対して、個々の電極対における電極間のインピーダンスもしくはコンダクタンスの変化についての複数の第１のアナログ信号と、複数の電極対における電極間のインピーダンスもしくはコンダクタンスの変化についての第２のアナログ信号とを入力させる制御部を備えている。
2019073756.tif 000002
【特許請求の範囲】
【請求項１】
皮膚に接触させる複数の電極対と、
各前記電極対の一方の電極と電源部との第１の継断と、各前記電極対の他方の電極とＡＤ（Analog-to-Digital）変換部につながる経路との第２の継断とを制御することにより
、前記ＡＤ変換部に対して、個々の前記電極対における電極間のインピーダンスもしくはコンダクタンスの変化についての複数の第１のアナログ信号と、複数の前記電極対における電極間のインピーダンスもしくはコンダクタンスの変化についての第２のアナログ信号とを入力させる制御部と、
複数の前記第１のアナログ信号が前記ＡＤ変換部で変換されることにより得られる複数の第１のデジタル信号と、前記第２のアナログ信号が前記ＡＤ変換部で変換されることにより得られる第２のデジタル信号とに基づいて、前記第２のデジタル信号に含まれるノイズが低減されたノイズ低減信号を導出する処理部と
を備えた
生体情報計測装置。
【請求項２】
前記処理部は、複数の前記第１のデジタル信号の中で、より多くのノイズを含む１または複数の前記第１のデジタル信号を選択し、前記第２のデジタル信号から、選択した１または複数の前記第１のデジタル信号を減算することにより、前記ノイズ低減信号を導出する
請求項１に記載の生体情報計測装置。
【請求項３】
前記処理部は、複数の前記第１のデジタル信号の中に、前記ＡＤ変換部の測定レンジを飽和させる信号入力により生成された信号が存在する場合には、それに該当しない１または複数の第１のデジタル信号と、前記第２のデジタル信号とに基づいて、前記ノイズ低減信号を導出する
請求項１に記載の生体情報計測装置。
【請求項４】
前記第１の継断および前記第２の継断を行う継断部を更に備え、
前記処理部は、前記継断部に対して制御信号を入力することにより、前記継断部における前記第１の継断および前記第２の継断の制御を行う
請求項１に記載の生体情報計測装置。
【請求項５】
各前記電極対が形成された配線基板と、
各前記電極対が手首の皮膚に接触するように前記配線基板を支持する手首固定用ベルトと
を更に備えた
請求項１に記載の生体情報計測装置。
【請求項６】
ウェアラブル装置と、外部機器とを備え、
前記ウェアラブル装置は、
皮膚に接触させる複数の電極対と、
各前記電極対の一方の電極と電源部との第１の継断と、各前記電極対の他方の電極とＡＤ（Analog-to-Digital）変換部につながる経路との第２の継断とを制御することにより
、前記ＡＤ変換部に対して、個々の前記電極対における電極間のインピーダンスもしくはコンダクタンスの変化についての複数の第１のアナログ信号と、複数の前記電極対における電極間のインピーダンスもしくはコンダクタンスの変化についての第２のアナログ信号とを入力させる制御部と、
複数の前記第１のアナログ信号が前記ＡＤ変換部で変換されることにより得られる複数の第１のデジタル信号と、前記第２のアナログ信号が前記ＡＤ変換部で変換されることにより得られる第２のデジタル信号とに基づいて、前記第２のデジタル信号に含まれるノイズが低減されたノイズ低減信号を導出する処理部と、
前記処理部で導出された前記ノイズ低減信号を前記外部機器に送信する送信部と
を有し、
前記外部機器は、前記送信部からの前記ノイズ低減信号を受信する受信部を有する
生体情報計測システム。
【請求項７】
ウェアラブル装置と、外部機器とを備え、
前記ウェアラブル装置は、
皮膚に接触させる複数の電極対と、
各前記電極対の一方の電極と電源部との第１の継断と、各前記電極対の他方の電極とＡＤ（Analog-to-Digital）変換部につながる経路との第２の継断とを制御することにより、前記ＡＤ変換部に対して、個々の前記電極対における電極間のインピーダンスもしくはコンダクタンスの変化についての複数の第１のアナログ信号と、複数の前記電極対における電極間のインピーダンスもしくはコンダクタンスの変化についての第２のアナログ信号とを入力させる制御部と、
複数の前記第１のアナログ信号が前記ＡＤ変換部で変換されることにより得られる複数の第１のデジタル信号と、前記第２のアナログ信号が前記ＡＤ変換部で変換されることにより得られる第２のデジタル信号とを前記外部機器に送信する送信部と
を有し、
前記外部機器は、
前記送信部からの複数の前記第１のデジタル信号および前記第２のデジタル信号を受信する受信部と、
前記受信部で受信した複数の前記第１のデジタル信号および前記第２のデジタル信号に基づいて、前記第２のデジタル信号に含まれるノイズが低減されたノイズ低減信号を導出する処理部と
を有する
生体情報計測システム。
【請求項８】
皮膚に接触させる１または複数の電極対と、
前記１または複数の電極対に電力を供給する電源部と、
前記１または複数の電極対における電極間のインピーダンスもしくはコンダクタンスの変化についての１または複数の生体信号を取得する取得部と、
前記１または複数の電極対の前記皮膚に対する接触状態、ユーザの体動状態、および前記１または複数の電極対の前記皮膚に対する押圧状態についての参照データに基づいて、前記取得部で取得した前記１または複数の生体信号の信頼性を判定する判定部と
を備えた
生体情報計測装置。
【請求項９】
前記体動状態を検出する加速度センサと、
前記押圧状態を検出する１または複数の圧力センサと
を更に備え、
前記判定部は、前記参照データとして、前記加速度センサから前記体動状態についての第１の検出信号と、前記１または複数の圧力センサから前記押圧状態についての第２の検出信号とを取得し、取得した前記第１の検出信号および前記第２の検出信号に基づいて、前記１または複数の生体信号の信頼性を判定する
請求項８に記載の生体情報計測装置。
【請求項１０】
前記１または複数の生体信号を１または複数のデジタル信号に変換するＡＤ（Analog-to-Digital）変換部を更に備え、
前記判定部は、前記１または複数のデジタル信号の中に、前記ＡＤ変換部の測定レンジを飽和させる信号入力により生成された信号が存在するか否かの判定結果を前記参照データとして生成し、生成した判定結果に基づいて、前記１または複数の生体信号の信頼性を判定する
請求項９に記載の生体情報計測装置。
【請求項１１】
ウェアラブル装置と、外部機器とを備え、
前記ウェアラブル装置は、
皮膚に接触させる１または複数の電極対と、
前記１または複数の電極対に電力を供給する電源部と、
前記１または複数の電極対における電極間のインピーダンスもしくはコンダクタンスの変化についての１または複数の生体信号を取得する取得部と、
前記１または複数の電極対の前記皮膚に対する接触状態、ユーザの体動状態、および前記１または複数の電極対の前記皮膚に対する押圧状態についての参照データに基づいて、前記取得部で取得した前記１または複数の生体信号の信頼性を判定する判定部と、
前記判定部での判定結果を前記外部機器に送信する送信部と
を有し、
前記外部機器は、前記送信部からの前記判定結果を受信する受信部を有する
生体情報計測システム。
【請求項１２】
ウェアラブル装置と、外部機器とを備え、
前記ウェアラブル装置は、
皮膚に接触させる１または複数の電極対と、
前記１または複数の電極対に電力を供給する電源部と、
前記１または複数の電極対における電極間のインピーダンスもしくはコンダクタンスの変化についての１または複数の生体信号を取得する取得部と、
前記取得部で取得した前記１または複数の生体信号を前記外部機器に送信する送信部と
を有し、
前記外部機器は、
前記送信部からの前記１または複数の生体信号を受信する受信部と、
前記１または複数の電極対の前記皮膚に対する接触状態、ユーザの体動状態、および前記１または複数の電極対の前記皮膚に対する押圧状態についての参照データに基づいて、前記受信部で受信した前記１または複数の生体信号の信頼性を判定する判定部と
を有する
生体情報計測システム。
【発明の詳細な説明】
【技術分野】
【０００１】
本開示は、生体情報計測装置および生体情報計測システムに関する。
【背景技術】
【０００２】
近年、ウェアラブルデバイスの進化や常時無線接続の普及とともに、生体情報を検知するセンサを搭載したデバイスの開発が進んでいる。
【先行技術文献】
【特許文献】
【０００３】
【特許文献１】特表２０１５−５２０６５６号公報
【特許文献２】特開２０１６−５１６４６１号公報
【特許文献３】特開２０１４−２３７１１号公報
【発明の概要】
【０００４】
ところで、生体情報を検知するセンサを搭載したウェアラブルデバイスの分野では、ノイズの少ない生体情報か、または、生体情報に含まれるノイズの削減が求められる。従って、ノイズの少ない生体情報を取得するか、または、生体情報に含まれるノイズの削減を行うことの可能な生体情報計測装置および生体情報計測システムを提供することが望ましい。
【０００５】
本開示の一実施の形態に係る第１の生体情報計測装置は、皮膚に接触させる複数の電極対と、各電極対の一方の電極と電源部との第１の継断と、各電極対の他方の電極とＡＤ（Analog-to-Digital）変換部につながる経路との第２の継断とを制御する制御部とを備えている。制御部は、第１の継断および第２の継断を制御することにより、ＡＤ変換部に対して、個々の電極対における電極間のインピーダンスもしくはコンダクタンスの変化についての複数の第１のアナログ信号と、複数の電極対における電極間のインピーダンスもしくはコンダクタンスの変化についての第２のアナログ信号とを入力させる。第１の生体情報計測装置は、複数の第１のアナログ信号がＡＤ変換部で変換されることにより得られる複数の第１のデジタル信号と、第２のアナログ信号がＡＤ変換部で変換されることにより得られる第２のデジタル信号とに基づいて、第２のデジタル信号に含まれるノイズが低減されたノイズ低減信号を導出する処理部を更に備えている。
【０００６】
本開示の一実施の形態に係る第１の生体情報計測システムは、ウェアラブル装置と、外部機器とを備えている。ウェアラブル装置は、皮膚に接触させる複数の電極対と、各電極対の一方の電極と電源部との第１の継断と、各電極対の他方の電極とＡＤ（Analog-to-Digital）変換部につながる経路との第２の継断とを制御する制御部とを備えている。制御部は、第１の継断および第２の継断を制御することにより、ＡＤ変換部に対して、個々の電極対における電極間のインピーダンスもしくはコンダクタンスの変化についての複数の第１のアナログ信号と、複数の電極対における電極間のインピーダンスもしくはコンダクタンスの変化についての第２のアナログ信号とを入力させる。ウェアラブル装置は、複数の第１のアナログ信号がＡＤ変換部で変換されることにより得られる複数の第１のデジタル信号と、第２のアナログ信号がＡＤ変換部で変換されることにより得られる第２のデジタル信号とに基づいて、第２のデジタル信号に含まれるノイズが低減されたノイズ低減信号を導出する処理部を更に備えている。ウェアラブル装置は、さらに、処理部で導出されたノイズ低減信号を外部機器に送信する送信部を更に備えている。外部機器は、送信部からのノイズ低減信号を受信する受信部を備えている。
【０００７】
本開示の一実施の形態に係る第２の生体情報計測システムは、ウェアラブル装置と、外部機器とを備えている。ウェアラブル装置は、皮膚に接触させる複数の電極対と、各電極対の一方の電極と電源部との第１の継断と、各電極対の他方の電極とＡＤ（Analog-to-Digital）変換部につながる経路との第２の継断とを制御する制御部とを備えている。制御部は、第１の継断および第２の継断を制御することにより、ＡＤ変換部に対して、個々の電極対における電極間のインピーダンスもしくはコンダクタンスの変化についての複数の第１のアナログ信号と、複数の電極対における電極間のインピーダンスもしくはコンダクタンスの変化についての第２のアナログ信号とを入力させる。ウェアラブル装置は、複数の第１のアナログ信号がＡＤ変換部で変換されることにより得られる複数の第１のデジタル信号と、第２のアナログ信号がＡＤ変換部で変換されることにより得られる第２のデジタル信号とを外部機器に送信する送信部を更に備えている。外部機器は、送信部からの複数の第１のデジタル信号および第２のデジタル信号を受信する受信部を備えている。外部機器は、受信部で受信した複数の第１のデジタル信号および第２のデジタル信号に基づいて、第２のデジタル信号に含まれるノイズが低減されたノイズ低減信号を導出する処理部を更に備えている。
【０００８】
本開示の一実施の形態に係る第１の生体情報計測装置、第１の生体情報計測システムおよび第２生体情報計測システムでは、個々の電極対における電極間のインピーダンスもしくはコンダクタンスの変化についての複数の第１のアナログ信号と、複数の電極対における電極間のインピーダンスもしくはコンダクタンスの変化についての第２のアナログ信号とに基づいて、第２のデジタル信号に含まれるノイズが低減されたノイズ低減信号が導出される。これにより、他のセンサから得られたノイズリファレンスを用いずに、電極と皮膚との接圧変化によって生じるノイズが低減される。
【０００９】
本開示の一実施の形態に係る第２の生体情報計測装置は、皮膚に接触させる複数の電極対と、１または複数の電極対に電力を供給する電源部と、１または複数の電極対における電極間のインピーダンスもしくはコンダクタンスの変化についての１または複数の生体信号を取得する取得部とを備えている。第２の生体情報計測装置は、１または複数の電極対の皮膚に対する接触状態、ユーザの体動状態、および１または複数の電極対の皮膚に対する押圧状態についての参照データに基づいて、取得部で取得した１または複数の生体信号の信頼性を判定する判定部を更に備えている。
【００１０】
本開示の一実施の形態の第３の生体情報計測システムは、ウェアラブル装置と、外部機器とを備えている。ウェアラブル装置は、皮膚に接触させる１または複数の電極対と、１または複数の電極対に電力を供給する電源部と、１または複数の電極対における電極間のインピーダンスもしくはコンダクタンスの変化についての１または複数の生体信号を取得する取得部とを備えている。ウェアラブル装置は、１または複数の電極対の皮膚に対する接触状態、ユーザの体動状態、および１または複数の電極対の皮膚に対する押圧状態についての参照データに基づいて、取得部で取得した１または複数の生体信号の信頼性を判定する判定部を更に備えている。外部機器は、送信部からの判定結果を受信する受信部を備えている。
【００１１】
本開示の一実施の形態の第４の生体情報計測システムは、ウェアラブル装置と、外部機器とを備えている。ウェアラブル装置は、皮膚に接触させる１または複数の電極対と、１または複数の電極対に電力を供給する電源部と、１または複数の電極対における電極間のインピーダンスもしくはコンダクタンスの変化についての１または複数の生体信号を取得する取得部とを備えている。ウェアラブル装置は、取得部で取得した前記１または複数の生体信号を前記外部機器に送信する送信部を更に備えている。外部機器は、送信部からの１または複数の生体信号を受信する受信部を備えている。外部機器は、１または複数の電極対の皮膚に対する接触状態、ユーザの体動状態、および１または複数の電極対の皮膚に対する押圧状態についての参照データに基づいて、受信部で受信した１または複数の生体信号の信頼性を判定する判定部を更に備えている。
【００１２】
本開示の一実施の形態に係る第２の生体情報計測装置、第３の生体情報計測システムおよび第４生体情報計測システムでは、１または複数の電極対の皮膚に対する接触状態、ユーザの体動状態、および１または複数の電極対の皮膚に対する押圧状態についての参照データに基づいて、取得部で取得した１または複数の生体信号の信頼性が判定される。ここで、上記参照データは、例えば、学習によって得られたデータや、センサによって得られたデータである。従って、上記参照データを用いることで、電極と皮膚との接圧変化によって生じるノイズの少ない生体信号が抽出され得る。
【００１３】
本開示の一実施の形態に係る第１の生体情報計測装置、第１の生体情報計測システムおよび第２生体情報計測システムによれば、他のセンサから得られたノイズリファレンスを用いずに、電極と皮膚との接圧変化によって生じるノイズを低減するようにしたので、生体情報に含まれるノイズの削減を行うことができる。
【００１４】
本開示の一実施の形態に係る第２の生体情報計測装置、第３の生体情報計測システムおよび第４生体情報計測システムによれば、上記参照データを用いることで、電極と皮膚との接圧変化によって生じるノイズの少ない生体信号を抽出することができるようにしたので、ノイズの少ない生体情報を取得することができる。
【００１５】
なお、本開示の効果は、ここに記載された効果に必ずしも限定されず、本明細書中に記載されたいずれの効果であってもよい。
【図面の簡単な説明】
【００１６】
【図１】本開示の第１の実施形態の生体情報計測装置の平面構成例を表す図である。
【図２】図１の生体情報計測装置の断面構成例を表す図である。
【図３】図１の生体情報計測装置の適用例を表す図である。
【図４】図３のウェアラブル装置の側面構成例を表す図である。
【図５】図１の生体情報計測装置の機能ブロック例を表す図である。
【図６】図５の切替部の構成例を表す図である。
【図７】図３の処理部の機能ブロック例を表す図である。
【図８】図１の生体情報計測装置における属性判別の手順の一例を表す図である。
【図９】図１の生体情報計測装置における電極切替の手順の一例を表す図である。
【図１０】（Ａ）全ての電極をつないだときの検出信号の一例を表す図である。（Ｂ）一部の電極を切り離した後の検出信号の一例を表す図である。
【図１１】（Ａ）電極対ごとに計測したときの検出データの一例を表す図である。（Ｂ）全ての電極をつないだときの検出信号の一例を表す図である。
【図１２】図１の生体情報計測装置における周期計測の手順の一例を表す図である。
【図１３】図１の生体情報計測装置におけるノイズ低減の手順の一例を表す図である。
【図１４】図１の生体情報計測装置におけるノイズ低減の様子を表す図である。
【図１５】本開示の第２の実施形態の生体情報計測装置の平面構成の一例を表す図である。
【図１６】図１５の生体情報計測装置の断面構成例を表す図である。
【図１７】図１５の生体情報計測装置の適用例を表す図である。
【図１８】図１７のウェアラブル装置の側面構成例を表す図である。
【図１９】図１５の生体情報計測装置の機能ブロック例を表す図である。
【図２０】図１５の生体情報計測装置における各種解析の手順の一例を表す図である。
【図２１】図１５の生体情報計測装置の変形例を表す図である。
【図２２】図２１の生体情報計測装置の断面構成例を表す図である。
【図２３】図２１の生体情報計測装置の適用例を表す図である。
【図２４】図２１の生体情報計測装置の機能ブロック例を表す図である。
【図２５】図２１の生体情報計測装置における周期計測の手順の一例を表す図である。
【図２６】本開示の第３の実施形態の生体情報計測装置の平面構成例を表す図である。
【図２７】図２６の生体情報計測装置の断面構成例を表す図である。
【図２８】図２６の生体情報計測装置の適用例を表す図である。
【図２９】図２８のウェアラブル装置の側面構成例を表す図である。
【図３０】図２６の生体情報計測装置の機能ブロック例を表す図である。
【図３１】図１５の生体情報計測装置の機能ブロックの一変形例を表す図である。
【図３２】図２６の生体情報計測装置の機能ブロックの一変形例を表す図である。
【図３３】図１、図１５、図２６の生体情報計測装置を含むウェアラブル装置と端末装置とがネットワークを介して接続されている例を表す図である。
【図３４】図１の生体情報計測装置を含むウェアラブル装置と端末装置とがネットワークを介して接続されている例を表す図である。
【図３５】図１５の生体情報計測装置を含むウェアラブル装置と端末装置とがネットワークを介して接続されている例を表す図である。
【図３６】図２６の生体情報計測装置を含むウェアラブル装置と端末装置とがネットワークを介して接続されている例を表す図である。
【図３７】図３３〜図３６の端末装置の機能ブロックの一例を表す図である。
【発明を実施するための形態】
【００１７】
以下、本開示を実施するための形態について、図面を参照して詳細に説明する。なお、説明は以下の順序で行う。
１．第１の実施の形態（生体情報計測装置）…図１〜図１４
属性判断、電極切替、ノイズ低減を行う例
２．第２の実施の形態（生体情報計測装置）…図１５〜図２０
接触解析、体動解析、押圧解析を行う例
３．第２の実施の形態の変形例（生体情報計測装置）…図２１〜図２５
複数の電極対を設けた例
４．第３の実施の形態（生体情報計測装置）…図２６〜図３０
第１の実施の形態および第２の実施の形態を複合した例
５．第２の実施の形態の他の変形例（生体情報計測装置）…図３１，図３２
学習データを用いた例
６．各実施の形態の適用例（生体情報計測システム）…図３３〜図３７
ネットワークを介して、生体情報計測装置と端末装置とが
通信を行う例
【００１８】
＜１．第１の実施の形態＞
人は環境の変化に対する自律神経系の反応として体表面に発汗する機能を持っている。発汗には、熱い環境にいるときや運動時などに体温調節するための温熱性発汗、精神的緊張や情緒変動などの精神性刺激を受けたときの精神性発汗、辛いものや刺激のあるものを食べたときなどの味覚性発汗などがある。
【００１９】
この体表面上の発汗による変化を取得する発汗計測という生体計測がある。発汗計測は発汗センサを用いて行われる。発汗計測では、体表面上に少なくとも２つ以上の電極を配置して、電極間に電圧を印加もしくは電流を流入させ、体表面上の発汗作用による電極間のインピーダンス変化（もしくは、コンダクタンスの変化）を取得するのが一般的な手法である。
【００２０】
発汗計測では、電流経路上の能動汗腺や発汗量が計測結果に影響を与える。日常利用において腕時計などの装着される手首は計測部位として有用と考えられる。しかし、手首では、能動汗腺や発汗量の変化が指や手掌に比べて少なく、また能動汗腺の分布には個人差があり、その場所を特定できないことから精神性発汗の検出対象である皮膚コンダクタンス反応を計測することは難しい。
【００２１】
この解決方法として、電極面積を広げて能動汗腺の検出率を高め、それにより信号強度を高めて検出する方法がある。しかし、そのような方法では、電極と皮膚の接触変化を生じる領域も増えるので、発汗センサの装着状態によっては電極−皮膚間の接触変化によるノイズが生じやすくなる。電極−皮膚間の接触変化が生じる場合、その位置に存在する抵抗成分と容量成分が変化することで生じるコンダクタンスが変化してノイズとして現れる。本開示では、この抵抗成分と容量成分の変化の原理に着目し、個々の電極対での計測データと、各電極対を統合した状態での計測データとを利用することにより、電極−皮膚間のノイズ源除去や接圧変化ノイズを低減する手法を提案する。
【００２２】
[構成]
図１は、本開示の第１の実施の形態に係る生体情報計測装置１の平面構成の一例を表したものである。図２は、図１の生体情報計測装置１の断面構成の一例を表したものである。図３は、図１の生体情報計測装置１の適用例を表したものである。図３には、生体情報計測装置１がリストバンド型もしくは腕時計型のウェアラブル装置１００に内蔵されている様子が例示されている。図４は、図３のウェアラブル装置１００の側面構成の一例を表したものである。図５は、生体情報計測装置１の機能ブロックの一例を表したものである。
【００２３】
生体情報計測装置１は、被検体２００の生体情報の１つである皮膚インピーダンス変化（もしくは、皮膚コンダクタンス変化）を計測することにより、精神性発汗を計測する装置である。生体情報計測装置１は、例えば、配線基板１０Ａと、配線基板１０Ａ上に形成された複数の電極対１１，１２，１３，１４とを備えている。配線基板１０Ａは、複数の電極対１１，１２，１３，１４を支持するとともに、各電極対１１，１２，１３，１４と後述の配線基板１０Ｂとを電気的に接続するためのものである。各電極対１１，１２，１３，１４は、皮膚に接触させるためのものであり、電極対における電極間のインピーダンスもしくはコンダクタンスの変化を検出するためのものである。
【００２４】
配線基板１０Ａは、例えば、樹脂基板もしくは樹脂フィルム上に配線層が形成されたものである。電極対１１は、例えば、配線基板１０Ａの表面上で離間して互いに対向配置された２つの電極１１Ａ，１１Ｂによって構成されている。電極対１２は、例えば、配線基板１０Ａの表面上で離間して互いに対向配置された２つの電極１２Ａ，１２Ｂによって構成されている。電極対１３は、例えば、配線基板１０Ａの表面上で離間して互いに対向配置された２つの電極１３Ａ，１３Ｂによって構成されている。電極対１４は、例えば、配線基板１０Ａの表面上で離間して互いに対向配置された２つの電極１４Ａ，１４Ｂによって構成されている。各電極対１１，１２，１３，１４は、例えば、銀やステンレスなどの金属材料によって構成されている。
【００２５】
生体情報計測装置１は、さらに、例えば、配線基板１０Ａとは別体で構成された配線基板１０Ｂと、配線基板１０Ｂ上に形成された切替部１５、アナログ部１６、信号処理部１７および通信部１８とを備えている。配線基板１０Ｂは、切替部１５、アナログ部１６、信号処理部１７および通信部１８を支持するとともに、切替部１５、アナログ部１６、信号処理部１７および通信部１８と各電極対１１，１２，１３，１４とを電気的に接続するためのものである。
【００２６】
切替部１５は、各電極対１１，１２，１３，１４の一方の電極１１Ａ，１２Ａ，１３Ａ，１４Ａと後述の電源部１６Ｄとの継断（第１の継断）と、各電極対１１，１２，１３，１４の他方の電極１１Ｂ，１２Ｂ，１３Ｂ，１４Ｂと後述のＩＶ変換部１６Ａ（もしくはＡＤ（Analog-to-Digital）変換部１７Ａ）との継断（第２の継断）とを行う。アナログ部１６は、切替部１５による継断により得られたアナログの検出信号ＳＧに対して所定の信号処理を行う。信号処理部１７は、電源部１６Ｄおよび切替部１５の制御や、アナログ部１６から入力された検出信号ＳＧのデジタル化、デジタル化した検出信号ＳＧに対する所定の信号処理などを行う。通信部１８は、信号処理部１７での所定の信号処理により生成されたノイズ低減信号ＳＧｃを外部機器（例えば、後述の端末装置６００）に送信する。配線基板１０Ａと配線基板１０Ｂとは、例えば、ＦＰＣ（Flexible printed circuits）などを介して互いに電気的に接続されている。
【００２７】
生体情報計測装置１は、例えば、リストバンド型もしくは腕時計型のウェアラブル装置１００に内蔵される。このとき、ウェアラブル装置１００は、例えば、配線基板１０Ｂ、ならびに配線基板１０Ｂ上の切替部１５、アナログ部１６、信号処理部１７および通信部１８を格納する筐体２０と、各電極対１１，１２，１３，１４が手首の皮膚に接触するように配線基板１０Ａを支持する手首固定用のベルト２１とを備えている。
【００２８】
（切替部１５）
図６は、切替部１５の構成の一例を表したものである。切替部１５は、例えば、ｎ入力・ｎ出力のマルチプレクサによって構成されている。切替部１５は、例えば、各電極対１１，１２，１３，１４の一方の電極１１Ａ，１２Ａ，１３Ａ，１４Ａと電源部１６Ｄとの継断（第１の継断）を行う切替部１５Ａと、各電極対１１，１２，１３，１４の他方の電極１１Ｂ，１２Ｂ，１３Ｂ，１４Ｂと後述のＩＶ変換部１６Ａ（もしくは後述のＡＤ（Analog-to-Digital）変換部１７Ａにつながる経路）との継断（第２の継断）とを行う切替部１５Ｂとを有している。
【００２９】
切替部１５Ａは、例えば、電極１１Ａと電源部１６Ｄとの継断を行うスイッチＳＷ１と、電極１２Ａと電源部１６Ｄとの継断を行うスイッチＳＷ２と、電極１３Ａと電源部１６Ｄとの継断を行うスイッチＳＷ３と、電極１４Ａと電源部１６Ｄとの継断を行うスイッチＳＷ４とを有している。切替部１５Ａは、例えば、後述の制御部１７Ｄからの制御信号Ｃｒｌ（Ｃｒｌ１）に基づいて、電極１１Ａ，１２Ａ，１３Ａ，１４Ａと電源部１６Ｄとの継断（第１の継断）を行う。
【００３０】
切替部１５Ｂは、例えば、電極１１ＢとＩＶ変換部１６Ａ（もしくはＡＤ変換部１７Ａにつながる経路）との継断を行うスイッチＳＷ５と、電極１２ＢとＩＶ変換部１６Ａ（もしくはＡＤ変換部１７Ａにつながる経路）との継断を行うスイッチＳＷ６と、電極１３ＢとＩＶ変換部１６Ａ（もしくはＡＤ変換部１７Ａにつながる経路）との継断を行うスイッチＳＷ７と、電極１４ＢとＩＶ変換部１６Ａ（もしくはＡＤ変換部１７Ａにつながる経路）との継断を行うスイッチＳＷ８とを有している。切替部１５Ｂは、例えば、後述の制御部１７Ｄからの制御信号Ｃｒｌ（Ｃｒｌ２）に基づいて、電極１１Ｂ，１２Ｂ，１３Ｂ，１４ＢとＩＶ変換部１６Ａ（もしくはＡＤ変換部１７Ａにつながる経路）との継断（第２の継断）を行う。
【００３１】
例えば、制御部１７Ｄからの制御信号ＣｒｌがＳＷ１，ＳＷ５のオンを指示する信号である場合には、切替部１５は、ＳＷ１，ＳＷ５をオンさせることにより、電源部１６Ｄから出力された電流を、ＳＷ１，１１Ａ，１１Ｂ，ＳＷ５を経由させて、ＩＶ変換部１６Ａ（もしくはＡＤ変換部１７Ａにつながる経路）に入力させる。以下では、このとき、切替部１５ＢからＩＶ変換部１６Ａに出力されるアナログの検出信号ＳＧを、検出信号ＳＧ１と称する。また、このときの計測を「単一電極対計測」と称する。また、例えば、制御部１７Ｄからの制御信号ＣｒｌがＳＷ２，ＳＷ６のオンを指示する信号である場合には、切替部１５は、ＳＷ２，ＳＷ６をオンさせることにより、電源部１６Ｄから出力された電流を、ＳＷ２，１２Ａ，１２Ｂ，ＳＷ６を経由させて、ＩＶ変換部１６Ａ（もしくはＡＤ変換部１７Ａにつながる経路）に入力させる。以下では、このとき、切替部１５ＢからＩＶ変換部１６Ａに出力されるアナログの検出信号ＳＧを、検出信号ＳＧ２と称する。また、このときの計測を「単一電極対計測」と称する。
【００３２】
また、例えば、制御部１７Ｄからの制御信号ＣｒｌがＳＷ３，ＳＷ７のオンを指示する信号である場合には、切替部１５は、ＳＷ３，ＳＷ７をオンさせることにより、電源部１６Ｄから出力された電流を、ＳＷ３，１３Ａ，１３Ｂ，ＳＷ７を経由させて、ＩＶ変換部１６Ａ（もしくはＡＤ変換部１７Ａにつながる経路）に入力させる。以下では、このとき、切替部１５ＢからＩＶ変換部１６Ａに出力されるアナログの検出信号ＳＧを、検出信号ＳＧ３と称する。また、このときの計測を「単一電極対計測」と称する。また、例えば、制御部１７Ｄからの制御信号ＣｒｌがＳＷ４，ＳＷ８のオンを指示する信号である場合には、切替部１５は、ＳＷ４，ＳＷ８をオンさせることにより、電源部１６Ｄから出力された電流を、ＳＷ４，１４Ａ，１４Ｂ，ＳＷ８を経由させて、ＩＶ変換部１６Ａ（もしくはＡＤ変換部１７Ａにつながる経路）に入力させる。以下では、このとき、切替部１５ＢからＩＶ変換部１６Ａに出力されるアナログの検出信号ＳＧを、検出信号ＳＧ４と称する。また、このときの計測を「単一電極対計測」と称する。
【００３３】
また、例えば、制御部１７Ｄからの制御信号ＣｒｌがＳＷ１〜ＳＷ８全てのオンを指示する信号である場合には、切替部１５は、ＳＷ１〜ＳＷ８全てをオンさせることにより、電源部１６Ｄから出力された電流を、ＳＷ１〜ＳＷ４，１１〜１４，ＳＷ５〜８を経由させて、ＩＶ変換部１６Ａ（もしくはＡＤ変換部１７Ａにつながる経路）に入力させる。以下では、このとき、切替部１５ＢからＩＶ変換部１６Ａに出力されるアナログの検出信号ＳＧを、検出信号ＳＧａｌｌと称する。また、このときの計測を「統合電極対計測」と称する。
【００３４】
（アナログ部１６）
アナログ部１６は、例えば、ＩＶ変換部１６Ａ、増幅部１６Ｂ、フィルタ部１６Ｃおよび電源部１６Ｄを有している。ＩＶ変換部１６Ａは、切替部１５から入力された電流信号を電圧信号に変換する。増幅部１６Ｂは、ＩＶ変換部１６Ａから入力された電圧信号を増幅する。フィルタ部１６Ｃは、増幅部１６Ｂから入力された電圧信号に含まれる不要な周波数成分を低減して、電圧信号の変動成分を抽出する。電源部１６Ｄは、制御部１７Ｄからの制御により所定の電圧もしくは電流を所定のタイミングで、切替部１５を介して電極１１Ａ，１２Ａ，１３Ａ，１４Ａに印加する。
【００３５】
（信号処理部１７）
信号処理部１７は、例えば、ＡＤ変換部１７Ａ、記憶部１７Ｂ、処理部１７Ｃおよび制御部１７Ｄを有している。ＡＤ変換部１７Ａは、アナログ部１６から入力されたアナログ信号をデジタル信号に変換する。記憶部１７Ｂは、ＡＤ変換部１７Ａから出力されたデジタル信号を格納する。記憶部１７Ｂは、例えば、不揮発性メモリによって構成されており、例えば、ＥＥＰＲＯＭ（Electrically Erasable Programmable Read-Only Memory）、フラッシュメモリ、抵抗変化型メモリなどによって構成されている。
【００３６】
処理部１７Ｃは、図７に記載の各機能ブロックで実行される内容を実行する。制御部１７Ｄは、電源部１６Ｄから電極１１Ａ，１２Ａ，１３Ａ，１４Ａへの電圧もしくは電流の印加を制御する。制御部１７Ｄは、さらに、切替部１５における上述の第１の継断および上述の第２の継断を制御する。制御部１７Ｄは、切替部１５における上述の第１の継断と、切替部１５における上述の第２の継断とを制御することにより、ＡＤ変換部１７Ａに対して、個々の電極対１１，１２，１３，１４における電極間のインピーダンスもしくはコンダクタンスの変化についての複数のアナログ信号（第１のアナログ信号）と、複数の電極対１１，１２，１３，１４における電極間のインピーダンスもしくはコンダクタンスの変化についてのアナログ信号（第２のアナログ信号）とを入力させる。
【００３７】
図７は、処理部１７Ｃの機能ブロックの一例を表したものである。処理部１７Ｃは、例えば、データ取得部１７１、飽和判定部１７２、電極構成設定部１７３およびノイズ低減処理部１７４を有している。データ取得部１７１は、記憶部１７Ｂから、検出信号ＳＧおよび属性データＤｐｒを読み出す。データ取得部１７１は、読み出した検出信号ＳＧを飽和判定部１７２およびノイズ低減処理部１７４に出力する。飽和判定部１７２は、図８に記載の属性判別を実行する。電極構成設定部１７３は、図９に記載の電極切替における電極設定を実行する。電極構成設定部１７３は、さらに、図１２に記載の周期計測における電極設定を実行する。ノイズ低減処理部１７４は、図１３に記載のノイズ低減を実行する。
【００３８】
（属性判別）
図８は、属性判別の手順の一例を表したものである。処理部１７Ｃ（飽和判定部１７２）は、まず、記憶部１７Ｂから、検出信号ＳＧを読み出す（ステップＳ１０１）。次に、処理部１７Ｃは、検出信号ＳＧが飽和しているか否かを判定する（ステップＳ１０２）。飽和とは、ＡＤ変換部１７Ａの測定レンジの飽和を指している。飽和には、コンダクタンスが電極対の短絡によって測定レンジを上回って高過ぎる状態（高飽和）と、コンダクタンスが電極対の皮膚への非接触によって測定レンジを下回って低過ぎる状態（低飽和）とがある。判定の結果、検出信号ＳＧが不飽和（高飽和でもなく、低飽和でもない状態）となっている場合には、処理部１７Ｃは、その検出信号ＳＧに対して「不飽和」属性を付与する（ステップＳ１０３）。
【００３９】
複数の検出信号ＳＧの中に、ＡＤ変換部１７Ａの測定レンジを飽和させる信号入力により生成された信号が存在する場合には、処理部１７Ｃは、検出信号ＳＧが高飽和しているか低飽和しているか否かを判定する（ステップＳ１０４）。その結果、検出信号ＳＧが高飽和となっている場合には、処理部１７Ｃは、その検出信号ＳＧに対して「高飽和」属性を付与する（ステップＳ１０５）。一方、検出信号ＳＧが低飽和となっている場合には、処理部１７Ｃは、その検出信号ＳＧに対して「低飽和」属性を付与する（ステップＳ１０６）。その後、処理部１７Ｃは、付与した属性を検出信号ＳＧと関連付けて、属性データＤｐｒを作成、記憶部１７Ｂに格納する（ステップＳ１０７）。
【００４０】
（電極切替）
図９は、電極切替の手順の一例を表したものである。処理部１７Ｃ（電極構成設定部１７３）は、まず、記憶部１７Ｂから、属性データＤｐｒを読み出す（ステップＳ２０１）。次に、処理部１７Ｃは、計測の種類を判別する（ステップＳ２０２）。処理部１７Ｃは、例えば、記憶部１７Ｂから、計測の種類についてのデータを読み出し、読み出したデータに基づいて、計測の種類を判別する。
【００４１】
記憶部１７Ｂには、計測の種類についてのデータの初期値として、「統合電極対計測」に対応するデータが格納されている。そのため、最初は、計測の種類についてのデータが「統合電極対計測」に対応するデータとなっている。従って、処理部１７Ｃは、属性データＤｐｒに基づいて決定した接続対象電極対全ての接続を指示する制御信号を、制御部１７Ｄを介して切替部１５に出力する。処理部１７Ｃは、例えば、「不飽和」属性の付与された検出信号ＳＧが得られた全ての電極対（例えば、全ての電極対１１，１２，１３，１４）の接続を指示する制御信号を、制御部１７Ｄを介して切替部１５に出力する。その結果、属性データＤｐｒに基づいて電極対が接続される（ステップＳ２０３）。続いて、処理部１７Ｃは、属性データＤｐｒに基づいて接続された電極対を介して得られた検出信号ＳＧａｌｌを記憶部１７Ｂに格納する（ステップＳ２０４）。その後、処理部１７Ｃは、記憶部１７Ｂに対して、計測の種類についてのデータとして「単一電極対計測」に対応するデータを格納する。その結果、計測の種類についてのデータが「単一電極対計測」に対応するデータに変更される（ステップＳ２０５）。
【００４２】
処理部１７Ｃは、再度、計測の種類を判別する（ステップＳ２０２）。処理部１７Ｃは、例えば、記憶部１７Ｂから、計測の種類についてのデータを読み出し、読み出したデータに基づいて、計測の種類を判別する。
【００４３】
このとき、記憶部１７Ｂには、計測の種類についてのデータとして、「単一電極対計測」に対応するデータが格納されている。従って、処理部１７Ｃは、属性データＤｐｒに基づいて決定した接続対象電極対を個々に接続することを指示する制御信号を、制御部１７Ｄを介して切替部１５に出力する。信号処理部１７は、例えば、「不飽和」属性の付与された検出信号ＳＧが得られた全ての電極対（例えば、全ての電極対１１，１２，１３，１４）の接続を指示する制御信号を、制御部１７Ｄを介して切替部１５に出力する。その結果、属性データＤｐｒに基づいて電極対が順次、接続される（ステップＳ２０６）。続いて、処理部１７Ｃは、属性データＤｐｒに基づいて接続された電極対を介して得られた検出信号ＳＧｋを記憶部１７Ｂに格納する（ステップＳ２０７）。次に、処理部１７Ｃは、接続対象電極対全てでの計測が終わっているか否かを判定する（ステップＳ２０８）。その結果、接続対象電極対全てでの計測が終わっていない場合には、処理部１７Ｃは、属性データＤｐｒに基づいて他の電極対を接続することを指示する制御信号を、制御部１７Ｄを介して切替部１５に出力する（ステップＳ２０９）。その後、処理部１７Ｃは、ステップＳ２０７，Ｓ２０８，Ｓ２０９を繰り返し実行し、接続対象電極対全てでの計測が終わると、電極切替を終了する。
【００４４】
図１０（Ａ）は、全ての電極対１１，１２，１３，１４をつないだときの検出信号ＳＧａｌｌの一例を表したものである。図１０（Ｂ）は、一部の電極対（例えば電極対１２，１３）を切り離した後の検出信号ＳＧａｌｌの一例を表したものである。図１０（Ａ）、図１０（Ｂ）には、電極対１２，１３が皮膚に接触しておらず、低コンダクタンス状態（つまり、低飽和状態）となっている場合が例示されている。図１０（Ａ）では、検出信号ＳＧａｌｌにノイズが乗っているが、図１０（Ｂ）では、検出信号ＳＧａｌｌにノイズが乗っていないことがわかる。このことから、低飽和状態となっている電極対を切り離すことにより、検出信号ＳＧａｌｌのノイズを低減することができることがわかる。
【００４５】
図１１（Ａ）は、電極対１１，１２，１３，１４ごとに計測したときの検出信号ＳＧｋの一例を表したものである。図１１（Ｂ）は、全ての電極対１１，１２，１３，１４をつないだときの検出信号ＳＧａｌｌの一例を表したものである。図１１（Ａ）では、電極対１２，１３において接圧変化が生じたために、検出信号ＳＧ２，ＳＧ３にノイズが乗っていることがわかる。図１１（Ｂ）では、検出信号ＳＧａｌｌに乗っているノイズのプロファイルが、図１１（Ａ）の検出信号ＳＧ２，ＳＧ３に乗っているノイズのプロファイルと共通していることがわかる。
【００４６】
（周期計測）
図１２は、周期計測の手順の一例を表したものである。処理部１７Ｃは、まず、計測開始の指示があるか否かを判定する（ステップＳ３０１）。信号処理部１７は、例えば、所定の期間が経過したとき、ユーザからリクエストがあったとき、ユーザが運動をしたときなどに、計測開始を指示する。その結果、計測開始の指示がある場合には、信号処理部１７は、電源部１６Ｄに対して、電圧／電流の、電極対への印加を指示する（ステップＳ３０２）。その後、信号処理部１７は、所定の期間、待機した後（ステップＳ３０３）、サンプリング周期に到達したか否かを判定する（ステップＳ３０４）。その結果、待機期間がサンプリング周期に到達した場合、信号処理部１７は、電極対を切り替えつつ、属性データＤｐｒを生成し、記憶部１７Ｂに格納するとともに、検出信号ＳＧを取得し、記憶部１７Ｂに格納する（ステップＳ３０５，ステップＳ１０１〜Ｓ１０７，ステップＳ２０１〜Ｓ２０９）。その後、信号処理部１７は、計測終了の指示があるか否かを判定する（ステップＳ３０６）。その結果、計測終了の指示がある場合には、信号処理部１７は、電源部１６Ｄに対して、電圧／電流の、電極対への印加の停止を指示する（ステップＳ３０７）。計測終了の指示がない場合には、信号処理部１７は、待機期間がサンプリング周期に到達する度に、ステップＳ３０５を実行する。
【００４７】
（ノイズ低減）
図１３は、ノイズ低減の手順の一例を表したものである。処理部１７Ｃ（ノイズ低減処理部１７４）は、記憶部１７Ｂから、検出信号ＳＧａｌｌ，ＳＧｋを読み出す（ステップＳ４０１）。次に、処理部１７Ｃは、読み出した複数の検出信号ＳＧｋの中で、より多くのノイズを含む１または複数の検出信号ＳＧｋを検出信号ＳＧｚとして選択する（ステップＳ４０２）。読み出した複数の検出信号ＳＧｋの中で、より多くのノイズを含む信号が複数存在する場合には、より多くのノイズを含む複数の検出信号ＳＧｋを足し合わせたものを検出信号ＳＧｚとする。
【００４８】
ところで、ノイズの多寡は、検出信号ＳＧｋの波形を、例えば、以下の数１に記載したような近似式で近似することにより得られ波形と、検出信号ＳＧｋの波形との差分を求めることにより得られる。τ１，τ２は、時定数である。Ｃは、補正係数である。
【数１】
2019073756.tif 000003
【００４９】
処理部１７Ｃは、複数の第１のアナログ信号がＡＤ変換部１７Ａで変換されることにより得られる複数の検出信号ＳＧｋ（第１のデジタル信号）と、第２のアナログ信号がＡＤ変換部１７Ａで変換されることにより得られる検出信号ＳＧａｌｌ（第２のデジタル信号）とに基づいて、検出信号ＳＧａｌｌ（第２のデジタル信号）に含まれるノイズが低減されたノイズ低減信号ＳＧｃを導出する。具体的には、処理部１７Ｃは、検出信号ＳＧａｌｌから、選択した１または複数の検出信号ＳＧｋ（＝検出信号ＳＧｚ）を減算することにより、ノイズ低減信号ＳＧｃを導出する（ステップＳ４０３）。処理部１７Ｃは、導出したノイズ低減信号ＳＧｃを、通信部１８を介して外部機器（例えば、端末装置６００）に出力する。
【００５０】
図１４は、ノイズ除去の手順を模式的に表したものである。図１４には、より多くのノイズを含む検出信号ＳＧｋとして、検出信号ＳＧ２，ＳＧ３が例示されている。処理部１７Ｃ（ノイズ低減処理部１７４）は、記憶部１７Ｂから読み出した検出信号ＳＧａｌｌから、より多くのノイズを含む検出信号ＳＧ２，ＳＧ３を除くことにより、ノイズの低減されたノイズ低減信号ＳＧｃを得る。
【００５１】
［効果］
次に、生体情報計測装置１の効果について説明する。
【００５２】
特表２０１５−５２０６５６号公報（以下、「先行技術Ａ」と称する。）に記載の発明では、個人の皮膚コンダクタンスレベル（ＳＣＬ）または皮膚コンダクタンス反応（ＳＣＲ）を測定および収集することを可能にすることが目的となっている。先行技術Ａは、ハンドヘルド型デバイスに対して複数の電極対を配し、人が手で握っている部分の電極のみを活性化し束ねてひとつの皮膚コンダクタンス反応を測定する内容である。
【００５３】
先行技術Ａは、複数の電極を束ねるという点で本実施の形態と類似する構成となっているが、電極の接圧変化によって重畳するノイズに対応できない。手首装着型のデバイスでは、ハンドヘルドデバイスのような特定の場面だけで使用する条件と異なり、常時使用が想定される。この場合、指の動きや手首のひねりなどに起因して、手首変形による電極−皮膚間の接圧変化がノイズとして重畳するので、実用上の課題が残る。
【００５４】
特表２０１６−５１６４６１号公報（以下、「先行技術Ｂ」と称する。）に記載の発明では、高い信頼性及び反復可能性で電気分解の損害を被らない、皮膚コンダクタンスを測定可能な新しいシステム等を提供することが目的となっている。先行技術Ｂでは、第１と第２の２種類の電極を配して、それぞれにＶ＋、Ｖ−のバイアスを印加し、第１電極−第２電極間を流れる電流が測定され、第１電圧、第２電圧、補償電流などを調節する仕組みを設けることで、測定時の出力電圧が非飽和にならないようになっている。
【００５５】
先行技術Ｂでは、皮膚コンダクタンス値は最後にＡＤ変換器に取り込まれる際に測定レンジを飽和してしまう場合がある。先行技術Ｂにおいて、このような飽和をなくすためには、被計測対象に与える電圧の値を変える必要がある。しかし、そのようにした場合には、生体組織ないし計測対象である皮膚コンダクタンス反応の出方に影響が及ぶ可能性がある。また、高飽和の場合には電極間の短絡の可能性があり、低飽和の場合には異物の挟み込みの可能性がある。そのため、印加電圧を変えずに非飽和を避ける手法が必要である。
【００５６】
特開２０１４−２３７１１号公報（以下、「特許文献Ｃ」と称する。）に記載の発明では、実用的な電極を用いたときに発生する分極による影響を、印加電圧の周波数の制限なく、回路規模や部品点数を増大させることなく低減することが目的となっている。特許文献Ｃでは、第１と第２の２種類の電極を備え、また、極性切替用の複数のスイッチを備えることで第１電極と第２電極の順に信号が流れる第１の信号経路とその逆順で流れる第２の信号経路を構成して、各信号経路を所定の周期で切替動作させることで電極と測定対象物との間に発生する分極電圧の影響を低減する。
【００５７】
分極による影響を軽減するものとして極性を切り替えることは一般的である。この手法は、第１電極と第２電極の２種類の電極に限定されているので、一般ユーザが当手法を備えたデバイスを利用する際に、例えば片方の電極-皮膚間に異物を挟み込んでいたりするとコンダクタンス計測としては成立しない。
【００５８】
一方、本実施の形態の生体情報計測装置１では、個々の電極対１１，１２，１３，１４における電極間のインピーダンスもしくはコンダクタンスの変化についての複数の検出信号（第１のアナログ信号）と、複数の電極対１１，１２，１３，１４における電極間のインピーダンスもしくはコンダクタンスの変化についての検出信号（第２のアナログ信号）とに基づいて、第２のアナログ信号がＡＤ変換部１７Ａで変換されることにより得られるデジタル信号（検出信号ＳＧａｌｌ（第２のデジタル信号））に含まれるノイズが低減されたノイズ低減信号ＳＧｃが導出される。これにより、他のセンサから得られたノイズリファレンスを用いずに、電極と皮膚との接圧変化によって生じるノイズが低減される。その結果、生体情報（検出信号ＳＧａｌｌ）に含まれるノイズの削減を行うことができる。
【００５９】
また、本実施の形態では、複数の検出信号ＳＧｋの中で、より多くのノイズを含む１または複数の検出信号ＳＧｋ（＝検出信号ＳＧｚ）が選択される。さらに、検出信号ＳＧａｌｌから、選択した検出信号ＳＧｚを減算することにより、ノイズ低減信号ＳＧｃが導出される。これにより、他のセンサから得られたノイズリファレンスを用いずに、電極と皮膚との接圧変化によって生じるノイズが低減される。その結果、生体情報（検出信号ＳＧａｌｌ）に含まれるノイズの削減を行うことができる。
【００６０】
また、本実施の形態では、複数の検出信号ＳＧｋ（第１のデジタル信号）の中に、ＡＤ変換部１７Ａの測定レンジを飽和させる信号入力により生成された信号が存在する場合には、それに該当しない１または複数の検出信号ＳＧｋ（第１のデジタル信号）と、検出信号ＳＧａｌｌ（第２のデジタル信号）とに基づいて、ノイズ低減信号ＳＧｃが導出される。これにより、他のセンサから得られたノイズリファレンスを用いずに、電極と皮膚との接圧変化によって生じるノイズが低減される。その結果、生体情報（検出信号ＳＧａｌｌ）に含まれるノイズの削減を行うことができる。
【００６１】
また、本実施の形態では、切替部１５に対して制御信号を入力することにより、切替部１５における上述の第１の継断および上述の第２の継断の制御が行われる。これにより、他のセンサから得られたノイズリファレンスを用いずに、電極と皮膚との接圧変化によって生じるノイズが低減される。その結果、生体情報（検出信号ＳＧａｌｌ）に含まれるノイズの削減を行うことができる。
【００６２】
また、本実施の形態では、各電極対１１，１２，１３，１４が手首の皮膚に接触するように配線基板１０Ａを支持する手首固定用のベルト２１が設けられている。これにより、電極と皮膚との接圧変化によって生じるノイズが低減されるので、生体情報（検出信号ＳＧａｌｌ）に含まれるノイズの削減を行うことができる。
【００６３】
＜２．第２の実施の形態＞
次に、本開示の第２の実施の形態に係る生体情報計測装置２について説明する。図１５は、生体情報計測装置２の平面構成の一例を表したものである。図１６は、生体情報計測装置２の断面構成の一例を表したものである。図１７は、生体情報計測装置２の適用例を表したものである。図１７には、生体情報計測装置２がリストバンド型もしくは腕時計型のウェアラブル装置３００に内蔵されている様子が例示されている。図１８は、ウェアラブル装置３００の側面構成の一例を表したものである。図１９は、生体情報計測装置２の機能ブロックの一例を表したものである。
【００６４】
生体情報計測装置２は、被検体２００の生体情報の１つである皮膚インピーダンス変化（もしくは、皮膚コンダクタンス変化）を計測することにより、精神性発汗を計測する装置である。生体情報計測装置２は、例えば、配線基板１０Ａと、配線基板１０Ａ上に形成された電極対１１と、押圧状態を検出する２つの圧力センサ２２とを備えている。配線基板１０Ａは、電極対１１を支持するとともに、電極対１１と配線基板１０Ｂとを電気的に接続するためのものである。電極対１１は、皮膚に接触させるためのものであり、電極対における電極間のインピーダンスもしくはコンダクタンスの変化を検出するためのものである。各圧力センサ２２は、電極対１１の、皮膚への押圧を検出するものであり、例えば、電極対１１と配線基板１０Ａとの間に配置されている。
【００６５】
生体情報計測装置２は、さらに、例えば、配線基板１０Ａとは別体で構成された配線基板１０Ｂと、配線基板１０Ａ上に形成された加速度センサ２３、アナログ部２４、信号処理部２５および通信部１８とを備えている。配線基板１０Ｂは、加速度センサ２３、アナログ部２４、信号処理部２５および通信部１８を支持するとともに、加速度センサ２３、アナログ部２４、信号処理部２５および通信部１８と電極対１１とを電気的に接続するためのものである。
【００６６】
アナログ部２４は、電極対１１から得られたアナログの検出信号ＳＧに対して所定の信号処理を行う。信号処理部２５は、電源部１６Ｄの制御や、アナログ部２４から入力された検出信号ＳＧのデジタル化、デジタル化した検出信号ＳＧに対する所定の信号処理などを行う。通信部１８は、信号処理部２５での判定の結果得られた信頼度１の１または複数の検出信号ＳＧ（ノイズの少ない生体信号）を外部機器（例えば、後述の端末装置６００）に送信する。配線基板１０Ａと配線基板１０Ｂとは、例えば、ＦＰＣなどを介して互いに電気的に接続されている。
【００６７】
生体情報計測装置２は、例えば、リストバンド型もしくは腕時計型のウェアラブル装置３００に内蔵される。このとき、ウェアラブル装置３００は、例えば、配線基板１０Ｂ、ならびに配線基板１０Ｂ上の加速度センサ２３、アナログ部２４、信号処理部２５および通信部１８を格納する筐体２０と、電極対１１が手首の皮膚に接触するように配線基板１０Ａを支持する手首固定用のベルト２１とを備えている。
【００６８】
（アナログ部２４）
アナログ部２４は、例えば、ＩＶ変換部１６Ａ、増幅部１６Ｂ、フィルタ部１６Ｃおよび電源部１６Ｄを有している。ＩＶ変換部１６Ａは、電極対１１から入力された電流信号を電圧信号に変換する。増幅部１６Ｂは、ＩＶ変換部１６Ａから入力された電圧信号を増幅する。フィルタ部１６Ｃは、増幅部１６Ｂから入力された電圧信号に含まれる不要な周波数成分を低減して、電圧信号の変動成分を抽出する。電源部１６Ｄは、制御部１７Ｄからの制御により所定の電圧もしくは電流を所定のタイミングで、電極１１Ａに印加する。
【００６９】
アナログ部２４は、例えば、さらに、電極１１Ａと配線基板１０Ａとの間に設けられた圧力センサ２２の出力に接続されたフィルタ部２４Ａ１と、電極１１Ｂと配線基板１０Ａとの間に設けられた圧力センサ２２の出力に接続されたフィルタ部２４Ａ２と、加速度センサ２３の出力に接続されたフィルタ部２４Ｂとを有している。フィルタ部２４Ａ１は、検出された圧力信号Ｄｐ１を記憶部１７Ｂに格納する。フィルタ部２４Ａ２は、検出された圧力信号Ｄｐ２を記憶部１７Ｂに格納する。フィルタ部２４Ｂは、検出された加速度信号Ｄｍを記憶部１７Ｂに格納する。
【００７０】
（信号処理部２５）
信号処理部２５は、例えば、ＡＤ変換部１７Ａ、記憶部１７Ｂ、処理部１７Ｃおよび制御部２５Ａを有している。ＡＤ変換部１７Ａは、アナログ部２４から入力されたアナログ信号をデジタル信号に変換する。記憶部１７Ｂは、アナログ部２４（例えばＡＤ変換部１７Ａ）から出力されたデジタル信号を格納する。
【００７１】
処理部２５Ａは、図２０に記載の接触解析、体動解析および押圧解析を実行する。処理部２５Ａは、まず、記憶部１７Ｂから、検出信号ＳＧを読み出す（ステップＳ５０１）。次に、処理部２５Ａは、検出信号ＳＧが飽和しているか否かを判定する（ステップＳ５０２）。その結果、検出信号ＳＧが飽和している場合には、処理部２５Ａは、その検出信号ＳＧの信頼度は０と判定する（ステップＳ５０３）。検出信号ＳＧが飽和していない場合には、処理部２５Ａは、記憶部１７Ｂから、加速度信号Ｄｍを読み出す（ステップＳ５０４）。次に、処理部２５Ａは、加速度信号Ｄｍから、加速度ノルムデータ（ノルムＤｍ）を導出する（ステップＳ５０５）。続いて、処理部２５Ａは、ノルムＤｍが所定の閾値Ｄｔｈ１以上となっているか否かを判定する（ステップＳ５０６）。その結果、ノルムＤｍが所定の閾値Ｄｔｈ１以上となっている場合には、処理部２５Ａは、検出信号ＳＧの信頼度は０と判定する（ステップＳ５０３）。ノルムＤｍが所定の閾値Ｄｔｈ１未満となっている場合には、処理部２５Ａは、圧力信号Ｄｐ１，Ｄｐ２を読み出す（ステップＳ５０７）。処理部２５Ａは、読み出した圧力信号Ｄｐ１，Ｄｐ２から、最大値Ｄｍａｘ１，Ｄｍａｘ２を抽出する（ステップＳ５０９）。続いて、処理部２５Ａは、抽出した最大値Ｄｍａｘ１，Ｄｍａｘ２が所定の閾値Ｄｔｈ２以上となっているか否かを判定する（ステップＳ５０９）。その結果、最大値Ｄｍａｘ１，Ｄｍａｘ２が所定の閾値Ｄｔｈ２以上となっている場合には、検出信号ＳＧの信頼度は０と判定する（ステップＳ５０３）。最大値Ｄｍａｘ１，Ｄｍａｘ２が所定の閾値Ｄｔｈ２未満となっている場合には、検出信号ＳＧの信頼度は１と判定する（ステップＳ５１０）。処理部２５Ａは、判定の結果得られた信頼度１の１または複数の検出信号ＳＧ（ノイズの少ない生体信号）を、通信部１８を介して外部機器（例えば、後述の端末装置６００）に出力する。
【００７２】
次に、本実施の形態の生体情報計測装置２の効果について説明する。
【００７３】
本実施の形態では、電極対１１の皮膚に対する接触状態、ユーザの体動状態、および電極対１１の皮膚に対する押圧状態についての参照データ（検出信号ＳＧ、加速度信号Ｄｍ、圧力信号Ｄｐ１，Ｄｐ２）に基づいて、検出信号ＳＧの信頼性が判定される。従って、上記参照データを用いることで、電極対１１と皮膚との接圧変化によって生じるノイズの少ない生体信号（信頼度１の１または複数の検出信号ＳＧ）が抽出され得る。その結果、ノイズの少ない生体情報（信頼度１の１または複数の検出信号ＳＧ）を取得することができる。
【００７４】
＜３．第２の実施の形態の変形例＞
次に、第２の実施の形態の変形例について説明する。図２１は、第２の実施の形態の変形例に係る生体信号計測装置２の平面構成の一を表したものである。図２２は、図２１の生体信号計測装置２の断面構成の一例を表したものである。図２３は、図２１の生体情報計測装置２の適用例を表したものである。図２３には、本変形例に係る生体情報計測装置２がリストバンド型もしくは腕時計型のウェアラブル装置３００に内蔵されている様子が例示されている。図２４は、本変形例に係る生体情報計測装置２の機能ブロックの一例を表したものである。
【００７５】
本変形例では、生体情報計測装置２は、例えば、配線基板１０Ａ上に形成された複数の電極対１１，１２，１３，１４と、電極対１１，１２，１３，１４ごとに１つずつ設けられた複数の圧力センサ２２とを備えている。各圧力センサ２２には、フィルタ部２４Ａ１〜２４Ａｎが設けられている。
【００７６】
（周期計測）
図２５は、周期計測の手順の一例を表したものである。処理部２５Ａは、まず、計測開始の指示があるか否かを判定する（ステップＳ３０１）。その結果、計測開始の指示がある場合には、処理部２５Ａは、電源部１６Ｄに対して、電圧／電流の、電極対への印加を指示する（ステップＳ３０２）。その後、処理部２５Ａは、所定の期間、待機した後（ステップＳ３０３）、サンプリング周期に到達したか否かを判定する（ステップＳ３０４）。その結果、待機期間がサンプリング周期に到達した場合、処理部２５Ａは、電極対を切り替えつつ、検出信号ＳＧ、加速度信号Ｄｍおよび圧力信号Ｄｐ１，Ｄｐ２を取得し、記憶部１７Ｂに格納する（ステップＳ３０８）。その後、処理部２５Ａは、上述の接触解析、上述の体動解析および上述の押圧解析を実行する（ステップＳ３０９，ステップＳ５０１〜Ｓ５１０）。その後、処理部２５Ａは、計測終了の指示があるか否かを判定する（ステップＳ３０６）。その結果、計測終了の指示がある場合には、処理部２５Ａは、電源部１６Ｄに対して、電圧／電流の、電極対への印加の停止を指示する（ステップＳ３０７）。計測終了の指示がない場合には、処理部２５Ａは、待機期間がサンプリング周期に到達する度に、ステップＳ３０８を実行する。
【００７７】
本変形例では、上記第２の実施の形態と同様、電極対１１の皮膚に対する接触状態、ユーザの体動状態、および電極対１１の皮膚に対する押圧状態についての参照データ（検出信号ＳＧ、加速度信号Ｄｍ、圧力信号Ｄｐ１，Ｄｐ２）に基づいて、検出信号ＳＧの信頼性が判定される。従って、上記参照データを用いることで、電極対１１と皮膚との接圧変化によって生じるノイズの少ない生体信号（信頼度１の１または複数の検出信号ＳＧ）が抽出され得る。その結果、ノイズの少ない生体情報（信頼度１の１または複数の検出信号ＳＧ）を取得することができる。
【００７８】
＜４．第３の実施の形態＞
次に、本開示の第３の実施の形態に係る生体情報計測装置３について説明する。図２６は、生体情報計測装置３の平面構成の一例を表したものである。図２７は、生体情報計測装置３の断面構成の一例を表したものである。図２８は、生体情報計測装置３の適用例を表したものである。図２８には、生体情報計測装置３がリストバンド型もしくは腕時計型のウェアラブル装置４００に内蔵されている様子が例示されている。図２９は、ウェアラブル装置４００の側面構成の一例を表したものである。図３０は、生体情報計測装置３の機能ブロックの一例を表したものである。
【００７９】
生体情報計測装置３は、被検体２００の生体情報の１つである皮膚インピーダンス変化（もしくは、皮膚コンダクタンス変化）を計測することにより、精神性発汗を計測する装置である。生体情報計測装置３は、例えば、配線基板１０Ａと、配線基板１０Ａ上に形成された複数の電極対１１，１２，１３，１４と、電極対１１，１２，１３，１４ごとに１つずつ設けられた複数の圧力センサ２２とを備えている。配線基板１０Ａは、電極対１１，１２，１３，１４を支持するとともに、電極対１１，１２，１３，１４と配線基板１０Ｂとを電気的に接続するためのものである。
【００８０】
生体情報計測装置３は、さらに、例えば、配線基板１０Ａとは別体で構成された配線基板１０Ｂと、配線基板１０Ｂ上に形成された切替部１５、加速度センサ２３、アナログ部２４、信号処理部３１および通信部１８とを備えている。配線基板１０Ｂは、切替部１５、加速度センサ２３、アナログ部２４、信号処理部３１および通信部１８を支持するとともに、切替部１５、加速度センサ２３、アナログ部２４、信号処理部３１および通信部１８と電極対１１とを電気的に接続するためのものである。
【００８１】
アナログ部２４は、電極対１１，１２，１３，１４から得られたアナログの検出信号ＳＧに対して所定の信号処理を行う。信号処理部３１は、電源部１６Ｄの制御や、アナログ部２４から入力された検出信号ＳＧのデジタル化、デジタル化した検出信号ＳＧに対する所定の信号処理などを行う。通信部１８は、信号処理部３１での所定の信号処理により生成されたノイズ低減信号ＳＧｃを外部機器（例えば、後述の端末装置６００）に送信する。
【００８２】
生体情報計測装置３は、例えば、リストバンド型もしくは腕時計型のウェアラブル装置４００に内蔵される。このとき、ウェアラブル装置４００は、例えば、配線基板１０Ｂ、ならびに配線基板１０Ｂ上の加速度センサ２３、アナログ部２４、信号処理部３１および通信部１８を格納する筐体２０と、電極対１１，１２，１３，１４が手首の皮膚に接触するように配線基板１０Ａを支持する手首固定用のベルト２１とを備えている。
【００８３】
（アナログ部２４）
アナログ部２４は、例えば、ＩＶ変換部１６Ａ、増幅部１６Ｂ、フィルタ部１６Ｃおよび電源部１６Ｄを有している。ＩＶ変換部１６Ａは、電極対１１，１２，１３，１４から入力された電流信号を電圧信号に変換する。増幅部１６Ｂは、ＩＶ変換部１６Ａから入力された電圧信号を増幅する。フィルタ部１６Ｃは、増幅部１６Ｂから入力された電圧信号に含まれる不要な周波数成分を低減して、電圧信号の変動成分を抽出する。電源部１６Ｄは、制御部１７Ｄからの制御により所定の電圧もしくは電流を所定のタイミングで、電極１１Ａ，１２Ａ，１３Ａ，１４Ａに印加する。
【００８４】
アナログ部２４は、例えば、さらに、電極１１Ａ，１２Ａ，１３Ａ，１４Ａと配線基板１０Ａとの間に設けられた各圧力センサ２２の出力に接続されたフィルタ部２４Ａ１〜２４Ａｎ（ｎは圧力センサ２２数）と、加速度センサ２３の出力に接続されたフィルタ部２４Ｂとを有している。各フィルタ部２４Ａ１〜２４Ａｎは、検出された圧力信号Ｄｐ１〜Ｄｐｎを記憶部１７Ｂに格納する。フィルタ部２４Ｂは、検出された加速度信号Ｄｍを記憶部１７Ｂに格納する。
【００８５】
（信号処理部３１）
信号処理部３１は、例えば、ＡＤ変換部１７Ａ、記憶部１７Ｂ、処理部３１Ａおよび制御部１７Ｄを有している。ＡＤ変換部１７Ａは、アナログ部２４から入力されたアナログ信号をデジタル信号に変換する。記憶部１７Ｂは、アナログ部２４（例えばＡＤ変換部１７Ａ）から出力されたデジタル信号を格納する。
【００８６】
処理部３１Ａは、上述の接触解析、体動解析および押圧解析（図２０参照）を実行する。処理部３１Ａは、さらに、上述の属性判別（図８参照）、上述の電極切替（図９参照）、上述の周期計測（図１２参照）、および上述のノイズ低減（図１３参照）を実行する。処理部３１Ａは、例えば、上述の属性判別（図８参照）、上述の電極切替（図９参照）、および上述の周期計測（図１２参照）を実行しつつ、上述の接触解析、体動解析および押圧解析（図２０参照）を実行する。このとき、処理部３１Ａは、例えば、信頼度１と判定された複数の検出信号ＳＧｋの中で、より多くのノイズを含む１または複数の検出信号ＳＧｋを検出信号ＳＧｚとして選択する。信頼度１と判定された複数の検出信号ＳＧｋの中で、より多くのノイズを含む信号が複数存在する場合には、処理部３１Ａは、例えば、より多くのノイズを含む複数の検出信号ＳＧｋを足し合わせたものを検出信号ＳＧｚとする。処理部３１Ａは、例えば、検出信号ＳＧｚと、検出信号ＳＧａｌｌとに基づいて、検出信号ＳＧａｌｌに含まれるノイズが低減されたノイズ低減信号ＳＧｃを導出する。具体的には、処理部３１Ａは、検出信号ＳＧａｌｌから、選択した１または複数の検出信号ＳＧｋ（＝検出信号ＳＧｚ）を減算することにより、ノイズ低減信号ＳＧｃを導出する。処理部３１Ａは、導出したノイズ低減信号ＳＧｃを、通信部１８を介して外部機器（例えば、端末装置６００）に出力する。
【００８７】
［効果］
次に、生体情報計測装置３の効果について説明する。
【００８８】
本実施の形態では、電極対１１の皮膚に対する接触状態、ユーザの体動状態、および電極対１１の皮膚に対する押圧状態についての参照データ（検出信号ＳＧ、加速度信号Ｄｍ、圧力信号Ｄｐ１，Ｄｐ２）に基づいて、検出信号ＳＧの信頼性が判定される。従って、上記参照データを用いることで、電極対１１，１２，１３，１４と皮膚との接圧変化によって生じるノイズの少ない生体信号（信頼度１の１または複数の検出信号ＳＧ）が抽出され得る。その結果、ノイズの少ない生体情報（信頼度１の１または複数の検出信号ＳＧ）を取得することができる。
【００８９】
また、本実施の形態では、信頼度１と判定された複数の検出信号ＳＧｋの中で、より多くのノイズを含む１または複数の検出信号ＳＧｋ（＝検出信号ＳＧｚ）が選択される。さらに、検出信号ＳＧａｌｌから、選択された検出信号ＳＧｚを減算することにより、ノイズ低減信号ＳＧｃが導出される。これにより、他のセンサから得られたノイズリファレンスを用いずに、電極と皮膚との接圧変化によって生じるノイズが低減される。その結果、生体情報（検出信号ＳＧａｌｌ）に含まれるノイズの削減を行うことができる。
【００９０】
＜５．第２および第３の実施の形態に共通の変形例＞
次に、第２および第３の実施の形態に共通の変形例について説明する。図３１は、第２の実施の形態の変形例に係る生体信号計測装置２の機能ブロックの一例を表したものである。図３２は、第３の実施の形態の変形例に係る生体信号計測装置３の機能ブロックの一例を表したものである。本変形例では、圧力センサ２２、加速度センサ２３およびフィルタ部２４Ａ１〜２４Ａｎ，２４Ｂが省略され、記憶部１７Ｂに、学習データＤＬが記憶されている。
【００９１】
学習データＤＬは、機械学習によって得られた、生体信号（検出信号ＳＧ）と信頼性との関係についてのデータである。具体的には、学習データＤＬは、様々な条件で得られた多数のデータ（検出信号ＳＧ、加速度信号Ｄｍ、圧力信号Ｄｐ１，Ｄｐ２）に基づいて得られた、生体信号（検出信号ＳＧ）と信頼性との関係についてのデータである。学習データＤＬが、本開示の「参照データ」の一具体例に相当する。
【００９２】
本変形例では、処理部２５Ａ，３１Ａが、学習データＤＬに基づいて、生体信号（検出信号ＳＧ）の信頼性を判定する。従って、学習データＤＬを用いることで、電極対１１（もしくは電極対１１，１２，１３，１４）と皮膚との接圧変化によって生じるノイズの少ないノイズ低減信号ＳＧｃが抽出され得る。その結果、ノイズの少ない生体情報（ノイズ低減信号ＳＧｃ）を取得することができる。
【００９３】
また、本変形例では、処理部３１Ａにおいて、信頼度１と判定された複数の検出信号ＳＧｋの中で、より多くのノイズを含む１または複数の検出信号ＳＧｋ（＝検出信号ＳＧｚ）が選択される。さらに、処理部３１Ａにおいて、検出信号ＳＧａｌｌから、選択された検出信号ＳＧｚを減算することにより、ノイズ低減信号ＳＧｃが導出される。これにより、他のセンサから得られたノイズリファレンスを用いずに、電極と皮膚との接圧変化によって生じるノイズが低減される。その結果、生体情報（検出信号ＳＧａｌｌ）に含まれるノイズの削減を行うことができる。
【００９４】
＜６．実施例＞
次に、ウェアラブル装置１００，３００，４００の実施例について説明する。図３３は、ウェアラブル装置１００，３００，４００の一適用例を表したものである。図３３には、ウェアラブル装置１００，３００，４００と端末装置６００とがネットワーク５００を介して接続されている様子が例示されている。ウェアラブル装置１００，３００，４００は、ノイズ低減信号ＳＧｃ、もしくは、ノイズの少ない生体情報（信頼度１の１または複数の検出信号ＳＧ）を、ネットワーク５００を介して端末装置６００に送信する。端末装置６００は、受信したノイズ低減信号ＳＧｃ、もしくは、受信したノイズの少ない生体情報（信頼度１の１または複数の検出信号ＳＧ）に基づいて、所定の信号処理を行う。端末装置６００は、例えば、ウェアラブル装置１００，３００，４００から受信した信号に対して所定の処理を行うことにより、生体情報を表示画面に表示する。これにより、端末装置６００では、ノイズの少ない生体情報をユーザに提供することができる。
【００９５】
なお、図３４に示したように、ウェアラブル装置１００は、検出した複数のデジタルの検出信号ＳＧ（複数の検出信号ＳＧｋ、検出信号ＳＧａｌｌ）を、ネットワーク５００を介して端末装置６００に送信してもよい。このようにした場合には、端末装置６００が、受信した複数のデジタルの検出信号ＳＧ（複数の検出信号ＳＧｋ、検出信号ＳＧａｌｌ）に基づいて、所定の信号処理（上述のノイズ低減処理）を行う。端末装置６００は、例えば、ウェアラブル装置１００から受信した信号に対して所定の信号処理（上述のノイズ低減処理）を行うことにより、ノイズ低減信号ＳＧｃを導出し、導出したノイズ低減信号ＳＧｃに基づいて画面表示を行う。これにより、端末装置６００では、ノイズの少ない生体情報をユーザに提供することができる。
【００９６】
また、図３５に示したように、ウェアラブル装置３００は、検出した１または複数のデジタルの検出信号ＳＧと、加速度信号Ｄｍと、圧力信号Ｄｐ１〜Ｄｐｎとを、ネットワーク５００を介して端末装置６００に送信してもよい。このようにした場合には、端末装置６００が、受信した１または複数のデジタルの検出信号ＳＧ、加速度信号Ｄｍおよび圧力信号Ｄｐ１〜Ｄｐｎに基づいて、所定の信号処理（上述の接触解析、上述の体動解析および上述の押圧解析）を行う。端末装置６００は、例えば、ウェアラブル装置３００から受信した信号に対して所定の処理を行うことにより、ノイズの少ない生体情報（信頼度１の１または複数の検出信号ＳＧ）を抽出し、抽出したノイズの少ない生体情報（信頼度１の１または複数の検出信号ＳＧ）に基づいて画面表示を行う。これにより、端末装置６００では、ノイズの少ない生体情報をユーザに提供することができる。
【００９７】
また、図３６に示したように、ウェアラブル装置４００は、検出した１または複数のデジタルの検出信号ＳＧと、加速度信号Ｄｍと、圧力信号Ｄｐ１〜Ｄｐｎとを、ネットワーク５００を介して端末装置６００に送信してもよい。このようにした場合には、端末装置６００が、受信した１または複数のデジタルの検出信号ＳＧ、加速度信号Ｄｍおよび圧力信号Ｄｐ１〜Ｄｐｎに基づいて、所定の信号処理（上述の接触解析、上述の体動解析および上述の押圧解析）を行う。端末装置６００は、例えば、ウェアラブル装置３００から受信した信号に対して所定の処理を行うことにより、ノイズの少ない生体情報（信頼度１の１または複数の検出信号ＳＧｋ）を抽出する。端末装置６００は、さらに、信頼度１の１または複数の検出信号ＳＧｋと、検出信号ＳＧａｌｌとに基づいて、所定の信号処理（上述のノイズ低減処理）を行う。端末装置６００は、例えば、受信した、信頼度１と判定された複数の検出信号ＳＧｋの中で、より多くのノイズを含む１または複数の検出信号ＳＧｋを検出信号ＳＧｋ（＝検出信号ＳＧｚ）として選択する。信頼度１と判定された複数の検出信号ＳＧｋの中で、より多くのノイズを含む信号が複数存在する場合には、処理部３１Ａは、例えば、より多くのノイズを含む複数の検出信号ＳＧｋを足し合わせたものを検出信号ＳＧｚとする。端末装置６００は、例えば、検出信号ＳＧｚと、検出信号ＳＧａｌｌとに基づいて、検出信号ＳＧａｌｌに含まれるノイズが低減されたノイズ低減信号ＳＧｃを導出する。具体的には、端末装置６００は、検出信号ＳＧａｌｌから、検出信号ＳＧｚを減算することにより、ノイズ低減信号ＳＧｃを導出する。端末装置６００は、導出したノイズ低減信号ＳＧｃに基づいて画面表示を行う。これにより、端末装置６００では、ノイズの少ない生体情報をユーザに提供することができる。
【００９８】
なお、本明細書中に記載された効果は、あくまで例示である。本開示の効果は、本明細書中に記載された効果に限定されるものではない。本開示が、本明細書中に記載された効果以外の効果を持っていてもよい。
【００９９】
また、例えば、本開示は以下のような構成を取ることができる。
（１）
皮膚に接触させる複数の電極対と、
各前記電極対の一方の電極と電源部との第１の継断と、各前記電極対の他方の電極とＡＤ（Analog-to-Digital）変換部につながる経路との第２の継断とを制御することにより
、前記ＡＤ変換部に対して、個々の前記電極対における電極間のインピーダンスもしくはコンダクタンスの変化についての複数の第１のアナログ信号と、複数の前記電極対における電極間のインピーダンスもしくはコンダクタンスの変化についての第２のアナログ信号とを入力させる制御部と、
複数の前記第１のアナログ信号が前記ＡＤ変換部で変換されることにより得られる複数の第１のデジタル信号と、前記第２のアナログ信号が前記ＡＤ変換部で変換されることにより得られる第２のデジタル信号とに基づいて、前記第２のデジタル信号に含まれるノイズが低減されたノイズ低減信号を導出する処理部と
を備えた
生体情報計測装置。
（２）
前記処理部は、複数の前記第１のデジタル信号の中で、より多くのノイズを含む１または複数の前記第１のデジタル信号を選択し、前記第２のデジタル信号から、選択した１または複数の前記第１のデジタル信号を減算することにより、前記ノイズ低減信号を導出する
（１）に記載の生体情報計測装置。
（３）
前記処理部は、複数の前記第１のデジタル信号の中に、前記ＡＤ変換部の測定レンジを飽和させる信号入力により生成された信号が存在する場合には、それに該当しない１または複数の第１のデジタル信号と、前記第２のデジタル信号とに基づいて、前記ノイズ低減信号を導出する
（１）または（２）に記載の生体情報計測装置。
（４）
前記第１の継断および前記第２の継断を行う継断部を更に備え、
前記処理部は、前記継断部に対して制御信号を入力することにより、前記継断部における前記第１の継断および前記第２の継断の制御を行う
（１）ないし（３）のいずれか１つに記載の生体情報計測装置。
（５）
各前記電極対が形成された配線基板と、
各前記電極対が手首の皮膚に接触するように前記配線基板を支持する手首固定用ベルトと
を更に備えた
（１）ないし（４）のいずれか１つに記載の生体情報計測装置。
（６）
ウェアラブル装置と、外部機器とを備え、
前記ウェアラブル装置は、
皮膚に接触させる複数の電極対と、
各前記電極対の一方の電極と電源部との第１の継断と、各前記電極対の他方の電極とＡＤ（Analog-to-Digital）変換部につながる経路との第２の継断とを制御することにより
、前記ＡＤ変換部に対して、個々の前記電極対における電極間のインピーダンスもしくはコンダクタンスの変化についての複数の第１のアナログ信号と、複数の前記電極対における電極間のインピーダンスもしくはコンダクタンスの変化についての第２のアナログ信号とを入力させる制御部と、
複数の前記第１のアナログ信号が前記ＡＤ変換部で変換されることにより得られる複数の第１のデジタル信号と、前記第２のアナログ信号が前記ＡＤ変換部で変換されることにより得られる第２のデジタル信号とに基づいて、前記第２のデジタル信号に含まれるノイズが低減されたノイズ低減信号を導出する処理部と、
前記処理部で導出された前記ノイズ低減信号を前記外部機器に送信する送信部と
を有し、
前記外部機器は、前記送信部からの前記ノイズ低減信号を受信する受信部を有する
生体情報計測システム。
（７）
ウェアラブル装置と、外部機器とを備え、
前記ウェアラブル装置は、
皮膚に接触させる複数の電極対と、
各前記電極対の一方の電極と電源部との第１の継断と、各前記電極対の他方の電極とＡＤ（Analog-to-Digital）変換部につながる経路との第２の継断とを制御することにより、前記ＡＤ変換部に対して、個々の前記電極対における電極間のインピーダンスもしくはコンダクタンスの変化についての複数の第１のアナログ信号と、複数の前記電極対における電極間のインピーダンスもしくはコンダクタンスの変化についての第２のアナログ信号とを入力させる制御部と、
複数の前記第１のアナログ信号が前記ＡＤ変換部で変換されることにより得られる複数の第１のデジタル信号と、前記第２のアナログ信号が前記ＡＤ変換部で変換されることにより得られる第２のデジタル信号とを前記外部機器に送信する送信部と
を有し、
前記外部機器は、
前記送信部からの複数の前記第１のデジタル信号および前記第２のデジタル信号を受信する受信部と、
前記受信部で受信した複数の前記第１のデジタル信号および前記第２のデジタル信号に基づいて、前記第２のデジタル信号に含まれるノイズが低減されたノイズ低減信号を導出する処理部と
を有する
生体情報計測システム。
（８）
皮膚に接触させる１または複数の電極対と、
前記１または複数の電極対に電力を供給する電源部と、
前記１または複数の電極対における電極間のインピーダンスもしくはコンダクタンスの変化についての１または複数の生体信号を取得する取得部と、
前記１または複数の電極対の前記皮膚に対する接触状態、ユーザの体動状態、および前記１または複数の電極対の前記皮膚に対する押圧状態についての参照データに基づいて、前記取得部で取得した前記１または複数の生体信号の信頼性を判定する判定部と
を備えた
生体情報計測装置。
（９）
前記体動状態を検出する加速度センサと、
前記押圧状態を検出する１または複数の圧力センサと
を更に備え、
前記判定部は、前記参照データとして、前記加速度センサから前記体動状態についての第１の検出信号と、前記１または複数の圧力センサから前記押圧状態についての第２の検出信号とを取得し、取得した前記第１の検出信号および前記第２の検出信号に基づいて、前記１または複数の生体信号の信頼性を判定する
（８）に記載の生体情報計測装置。
（１０）
前記１または複数の生体信号を１または複数のデジタル信号に変換するＡＤ（Analog-to-Digital）変換部を更に備え、
前記判定部は、前記１または複数のデジタル信号の中に、前記ＡＤ変換部の測定レンジを飽和させる信号入力により生成された信号が存在するか否かの判定結果を前記参照データとして生成し、生成した判定結果に基づいて、前記１または複数の生体信号の信頼性を判定する
（８）または（９）に記載の生体情報計測装置。
（１１）
ウェアラブル装置と、外部機器とを備え、
前記ウェアラブル装置は、
皮膚に接触させる１または複数の電極対と、
前記１または複数の電極対に電力を供給する電源部と、
前記１または複数の電極対における電極間のインピーダンスもしくはコンダクタンスの変化についての１または複数の生体信号を取得する取得部と、
前記１または複数の電極対の前記皮膚に対する接触状態、ユーザの体動状態、および前記１または複数の電極対の前記皮膚に対する押圧状態についての参照データに基づいて、前記取得部で取得した前記１または複数の生体信号の信頼性を判定する判定部と、
前記判定部での判定結果を前記外部機器に送信する送信部と
を有し、
前記外部機器は、前記送信部からの前記判定結果を受信する受信部を有する
生体情報計測システム。
（１２）
ウェアラブル装置と、外部機器とを備え、
前記ウェアラブル装置は、
皮膚に接触させる１または複数の電極対と、
前記１または複数の電極対に電力を供給する電源部と、
前記１または複数の電極対における電極間のインピーダンスもしくはコンダクタンスの変化についての１または複数の生体信号を取得する取得部と、
前記取得部で取得した前記１または複数の生体信号を前記外部機器に送信する送信部と
を有し、
前記外部機器は、
前記送信部からの前記１または複数の生体信号を受信する受信部と、
前記１または複数の電極対の前記皮膚に対する接触状態、ユーザの体動状態、および前記１または複数の電極対の前記皮膚に対する押圧状態についての参照データに基づいて、前記受信部で受信した前記１または複数の生体信号の信頼性を判定する判定部と
を有する
生体情報計測システム。
【０１００】
本出願は、日本国特許庁において２０１７年１０月１３日に出願された日本特許出願番号第２０１７−１９９４０４号を基礎として優先権を主張するものであり、この出願のすべての内容を参照によって本出願に援用する。
【０１０１】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019073756.tif 000004
【図２】
2019073756.tif 000005
【図３】
2019073756.tif 000006
【図４】
2019073756.tif 000007
【図５】
2019073756.tif 000008
【図６】
2019073756.tif 000009
【図７】
2019073756.tif 000010
【図８】
2019073756.tif 000011
【図９】
2019073756.tif 000012
【図１０】
2019073756.tif 000013
【図１１】
2019073756.tif 000014
【図１２】
2019073756.tif 000015
【図１３】
2019073756.tif 000016
【図１４】
2019073756.tif 000017
【図１５】
2019073756.tif 000018
【図１６】
2019073756.tif 000019
【図１７】
2019073756.tif 000020
【図１８】
2019073756.tif 000021
【図１９】
2019073756.tif 000022
【図２０】
2019073756.tif 000023
【図２１】
2019073756.tif 000024
【図２２】
2019073756.tif 000025
【図２３】
2019073756.tif 000026
【図２４】
2019073756.tif 000027
【図２５】
2019073756.tif 000028
【図２６】
2019073756.tif 000029
【図２７】
2019073756.tif 000030
【図２８】
2019073756.tif 000031
【図２９】
2019073756.tif 000032
【図３０】
2019073756.tif 000033
【図３１】
2019073756.tif 000034
【図３２】
2019073756.tif 000035
【図３３】
2019073756.tif 000036
【図３４】
2019073756.tif 000037
【図３５】
2019073756.tif 000038
【図３６】
2019073756.tif 000039
【図３７】
2019073756.tif 000040
【国際調査報告】
2019073756.tif 000041
2019073756.tif 000042
2019073756.tif 000043
2019073756.tif 000044
2019073756.tif 000045
2019073756.tif 000046
2019073756.tif 000047
2019073756.tif 000048